(57)【要約】  【課題】バルクヘッドと開閉式ルーフとの間をシールする上シール部材から漏れ出た水が車室内に侵入してしまう事態をより確実に防止できると共に、遮音性をも高めることのできるようにする。  【解決手段】バルクヘッド２０と開閉式ルーフ１０の後縁部との間において、レインレール４０が配設される。レインレール４０の上端部と開閉式ルーフ１０との間が、レインレール４０とバルクヘッド２０との接合部位に取付けた上シール部材１５によりシールされる。バルクヘッド２０に対して順次、レインレール４０と下シール部材６０と開閉式ルーフ１０とセットプレート５０とが重ね合わされた状態で締結具７０により締結されて、各部材１０、４０、１５、６０で囲まれた閉空間が主排水路８０とされる。レインレール４０の下部には、締結具７０による締結部位から漏れ出る水を受け止める副排水路９０が形成されている。各排水路８０、９０は、車体側部に配設されたドレンボックス１００に連なっている。【選択図】  図４
2015131623.tif 000002
【特許請求の範囲】
【請求項１】
開閉式ルーフと前記開閉式ルーフの収納空間の後壁上部を構成するバルクヘッドとの間において、前記開閉式ルーフの後縁部に沿ってレインレールが配設され、
前記レインレールの上端部が前記バルクヘッドの上端部に接合されて、この接合部分に設けられた上シール部材によって前記レインレールと前記開閉式ルーフとの間のシールが行われており、
前記レインレールの上下方向中間部において、前記バルクヘッドに対して順次、前記レインレールと下シール部材と前記開閉式ルーフとセットプレートとが重ね合わされた状態で締結具により締結されて、前記レインレールと前記開閉式ルーフと前記上シール部材と前記下シール部材とで囲まれた閉空間としての主排水路が形成され、
前記レインレールの下部には、前記締結具による締結部位から漏れ出る水を受け止める副排水路が形成され、
前記主排水路および前記副排水路の端部がそれぞれ、車体側部に配設されたドレンボックスに連なっている、
ことを特徴とするオープンカーのシール構造。
【請求項２】
請求項１において、
前記副排水路の端部が前記ドレンボックスにまで伸びており、
前記主排水路は、前記ドレンボックス付近において、前記副排水路に連通されて、該主排水路からの水が該副排水路を介して前記ドレンボックスへと流れるようにされている、
ことを特徴とするオープンカーのシール構造。
【請求項３】
請求項２において、
前記セットプレートの車幅方向端部終端位置が、前記レインレールの車幅方向端部終端位置よりも前記ドレンボックスから遠い位置となるように設定されて、前記主排水路の水が前記セットプレートの車幅方向端部終端位置よりも先の部分から前記副排水路へと落下するようにされている、
ことを特徴とするオープンカーのシール構造。
【請求項４】
請求項１ないし請求項３のいずれか１項において、
前記バルクヘッドの上端部に前後方向に伸びるパッケージトレイの前端部が接合され、
前記バルクヘッドと前記レインレールと前記パッケージトレイとの接合部位を覆うベルトラインモールが取付けられ、
前記上シール部材が、前記ベルトラインモールに一体化されている、
ことを特徴とするオープンカーのシール構造。
【発明の詳細な説明】
【技術分野】
【０００１】
本発明は、オープンカーのシール構造に関するものである。
【背景技術】
【０００２】
車両としてオープンカーにあっては、幌部材を利用して構成された開閉式ルーフを備えて、開閉式ルーフを収納して車室上方が開放されたオープン状態と、開閉式ルーフで車室上方を覆うクオローズ状態とを選択できるようにしたものが一般的である。
【０００３】
開閉式ルーフを備えたオープンカーにあっては、開閉式ルーフの後縁部と車体との間から雨水や洗車水等の水が車室内に侵入するのを防止するシール構造が採択される。特許文献１には、開閉式ルーフの収納空間の後壁上部を構成するバルクヘッドと開閉式ルーフとの間にレインレールを配設したものが開示されている。具体的には、バルクヘッドの上端部にブラケットを介して上シール部材を取付けて、この上シール部材によって、バルクヘッドと開閉式ルーフとの間をシールするようにしてある。また、レインレールとして、前後方向に小間隔をあけて前後一対の縦壁部を有すると共に、前後の縦壁部の下部同士を湾曲形状に連結することにより下方が閉じられた排水路を構成してあり、この排水路を車体側部に配設したドレンボックスに連なるようにしてある。そして、バルクヘッドに対して、レインレールの後縦壁部、開閉式ルーフの後縁部、レインレールの前縦壁部、トリム材取付け用のセットプレートを順次配設した状態で、ボルト、ナットからなる締結具によって締結するようにしてある。
【先行技術文献】
【特許文献】
【０００４】
【特許文献１】実公平０７−２８０２４号公報
【発明の概要】
【発明が解決しようとする課題】
【０００５】
ところで、前述した特許文献１に記載のものでは、前後の縦壁部を有するレインレールはその上方が開口された構造であり、この上方開口は、車室内（バルクヘッドよりも前方側部分）にそのまま開口されたものとなっている。したがって、大雨のときや大量の洗車水を使用したときに、排水路から水があふれ出て、車室内に侵入してしまうという問題を生じやすいものとなる。また、バルクヘッドに対する開閉式ルーフやレインレールの締結部位を完全にシールすることが難しく、この締結部位から漏れ出た水が車室内に侵入してしまう場合も往々にして生じることになる。さらに、レインレールを利用して構成される排水路は、車室内と完全には遮断された構造となっていないために、遮音性という点でも改善の余地がある。
【０００６】
なお、排水路の上方開口から水があふれ出すのを防止するために、排水路を太く（断面積を大きく）することも考えられるが、この場合は車室用のスペースが小さくなり、好ましくないものとなる。
【０００７】
本発明は以上のような事情を勘案してなされたもので、その目的は、バルクヘッドと開閉式ルーフとの間をシールする上シール部材から漏れ出た水が車室内に侵入してしまう事態をより確実に防止できると共に、遮音性をも高めることのできるオープンカーのシール構造を提供することにある。
【課題を解決するための手段】
【０００８】
前記目的を達成するため、本発明にあっては次のような解決手法を採択してある。すなわち、請求項１に記載のように、
開閉式ルーフと前記開閉式ルーフの収納空間の後壁上部を構成するバルクヘッドとの間において、前記開閉式ルーフの後縁部に沿ってレインレールが配設され、
前記レインレールの上端部が前記バルクヘッドの上端部に接合されて、この接合部分に設けられた上シール部材によって前記レインレールと前記開閉式ルーフとの間のシールが行われており、
前記レインレールの上下方向中間部において、前記バルクヘッドに対して順次、前記レインレールと下シール部材と前記開閉式ルーフとセットプレートとが重ね合わされた状態で締結具により締結されて、前記レインレールと前記開閉式ルーフと前記上シール部材と前記下シール部材とで囲まれた閉空間としての主排水路が形成され、
前記レインレールの下部には、前記締結具による締結部位から漏れ出る水を受け止める副排水路が形成され、
前記主排水路および前記副排水路の端部がそれぞれ、車体側部に配設されたドレンボックスに連なっている、
ようにしてある。
【０００９】
上記解決手法によれば、主排水路は、レインレールと開閉式ルーフと上シール部材と下シール部材とで囲まれた閉空間として構成されるので、遮音性が高められることになる。また、主排水路が閉空間とされているために、主排水路から水があふれ出て室内へ侵入してしまうという事態が防止される。さらに、締結具による締結部位つまり下シール部材から主排水路内の水が漏れ出ても、この漏れ出た水は、副排水路に受け止められて、車室内に侵入してしまうことが防止される。主排水路および副排水路に漏れ出た水は、最終的にドレンボックスを経て車外へ排出されることになる。なお、主排水路の下方に副排水路を構成してあるので、車室スペースを十分に確保する上で好ましいものとなる。
【００１０】
上記解決手法を前提とした好ましい態様は、特許請求の範囲における請求項２以下に記載のとおりである。すなわち、
前記副排水路の端部が前記ドレンボックスにまで伸びており、
前記主排水路は、前記ドレンボックス付近において、前記副排水路に連通されて、該主排水路からの水が該副排水路を介して前記ドレンボックスへと流れるようにされている、
ようにしてある（請求項２対応）。この場合、低い位置にある副排水路を有効に利用して、主排水路の水をドレンボックスへと導くことができる。
【００１１】
前記セットプレートの車幅方向端部終端位置が、前記レインレールの車幅方向端部終端位置よりも前記ドレンボックスから遠い位置となるように設定されて、前記主排水路の水が前記セットプレートの車幅方向端部終端位置よりも先の部分から前記副排水路へと落下するようにされている、
ようにしてある（請求項３対応）。この場合、セットプレートの車幅方向端部終端位置をレインレールの車幅方向端部終端位置と相違させるという簡単な手法により、主排水路の水を副排水路へと導くことができる。
【００１２】
前記バルクヘッドの上端部に前後方向に伸びるパッケージトレイの前端部が接合され、
前記バルクヘッドと前記レインレールと前記パッケージトレイとの接合部位を覆うベルトラインモールが取付けられ、
前記上シール部材が、前記ベルトラインモールに一体化されている、
ようにしてある（請求項４対応）。この場合、ベルトラインモールを有効に利用して上シール部材を取付けることができる。
【発明の効果】
【００１３】
本発明によれば、車室内への水の侵入をより確実に防止でき、また遮音性を高めることができる。
【図面の簡単な説明】
【００１４】
【図１】本発明が適用されたオープンカーの車体構造例を示すもので、内装材や開閉式ルーフ、トランクリッド等を取外した状態で示す斜視図。
【図２】開閉式ルーフがクローズ状態でかつリアフェンダを取外した状態での要部平面図。
【図３】開閉式ルーフの後縁部の取付け構造部分を示す側面断面図。
【図４】図３の要部拡大断面図。
【図５】図２のＸ５−Ｘ５線相当断面図。
【図６】ドレンボックスと主排水路と副排水路との関係を示す正面断面図。
【発明を実施するための形態】
【００１５】
図１において、オープンカーとしての車体は、フロアパネル１を有し、フロアパネル１の車幅方向中央部には、前後方向に伸びるトンネル部１ａが形成されている。トンネル部１ａの左右に、それぞれ図示を略す運転席と助手席とが配設されて、実施形態では２シータ用とされている。なお、フロアパネル１の左右端部には、前後方向に伸びる車体強度部材としてのサイドシル２が接合されている。
【００１６】
フロアパネル１の後方には、図２に示す開閉式ルーフ１０の収納空間Ｋが形成されている。この収納空間Ｋの後方に、バルクヘッド２０を介して、トランクルーム３０が構成されている。なお、実施形態では、開閉式ルーフ１０は、骨部材に幌部材（防水性のあるシート材）を張設することにより構成された幌式とされて、折りたたまれた状態で収納空間Ｋ内に収納されるようになっている。また、開閉式ルーフ１０は、ハードタイプのリアウインドガラス１０ａを有するものとなっている。
【００１７】
前記収納空間Ｋについて詳述すると、図１に示すように、フロアパネル１の後端から上方へ立ち上がるキックアップ部３が形成され、このキックアップ部３から後方へ伸びるフロア部分が、収納空間Ｋの底壁部４とされている。収納区間Ｋの後壁部５が、底壁部４の後端から上方へ立ち上がるようにして形成され、この後壁部５の上部がバルクヘッド２０とされ、バルクヘッド２０の上壁部２１がパッケージトレイとされている（パッケージトレイがバルクヘッド２０の上壁部２１を構成）。収納空間Ｋの左右の側壁部が符号６で示され、この側壁部６には、後輪用のホイールアーチ部７（の前端部）が構成されている。
【００１８】
次に、図３を参照しつつ、バルクヘッド２０の上部の詳細について説明する。バルクヘッド２０は、ほぼ水平方向に伸びる前述した上壁部２１の他、上下方向に伸びる縦壁部２２と、縦壁部２２の下部から斜め上方に向けて伸びる底壁部２３とを有している。そして、縦壁部２２の上端部と底壁部２３の後端部とが上壁部２１により連結されて、全体として閉断面を構成している。図３中、３１はハイマウントストップランプ、３２はトランクリッドである。
【００１９】
バルクヘッド２０の縦壁部２２の直前方に、レインレール４０が配設されている。レインレール４０は、ほぼバルクヘッド２０の縦壁部２２に沿うように上下方向に伸ばして配設されている。そして、レインレール４０の上端部とバルクヘッド２０の縦壁部２２の上端部および上壁部２１の前端部とが、３枚重ねの状態で互いに接合されている（例えばスポット溶接）。
【００２０】
バルクヘッド２０の縦壁部２２の上下方向中間部に対して、開閉式ルーフ１０の後縁部が２枚重ねとなるように１８０度折り返された状態で、セットプレート５０および下シール部材６０を介して、締結具７０により締結されている。具体的には、図４に示すように、縦壁部２２にレインレール４０が重ねられ、その前方に下シール部材６０が重ねられ、その前方に２枚重ねの開閉式ルーフ１０の後縁部が重ねられ、その前方にセットプレート５０が重ねられた状態で、締結具７０により締結されている。締結具７０は、実施形態では、セットプレート５０の前面に固定されたナット７１と、ナット７１に螺合されて上記各部材２２、４０、６０、１０、５０を貫通するボルト７２によって構成されているが、締結具７０としては適宜の構造のものを採択できる。
【００２１】
セットプレート５０は、それぞれ上下方向に伸びる後板部５０ａおよび前平板部５０ｂを有し、各板部５０ａと５０ｂとの上端部同士が、上に凸となるように湾曲された連結部５０ｃにより連結された構造とされている。上記後平板部５０ａが、締結具７０を利用してバルクヘッド２０の縦壁部２２に締結される。そして、前平板部５０ｂに対して、トリム材５５が固定具５６によって固定されている。
【００２２】
開閉式ルーフ１０は、車室上方を覆うクローズ状態では、バルクヘッド２０付近では、前上方に向かうように傾斜されていて、前述したレインレール４０の上端部付近を通るように配設される。このレインレール４０と開閉式ルーフ１０との間をシールするために、上シール部材１５が設けられている。この上シール部材１５は、開閉式ルーフ１０の後縁部に沿って配設されたベルトラインモール１６に一体化されている。すなわち、ベルトラインモール１６は、レインレール４０とバルクヘッド２０の上壁部２１と縦壁部２２との接合部位を覆うようにしてこれに固定され、さらに収納空間Ｋの側壁部６の上端部をも覆うようにされている。なお、後述するドレンボックスが収納空間Ｋの側壁部６の前部付近に配設されることから、レインレール４０も側壁部７に沿うように配設されている（レインレール４０は、図２に示すベルトラインモール１６のほぼ全長に沿うように設けられている）。
【００２３】
開閉式ルーフ１０とレインレール４０との間の空間が、上方では上シール部材１５により閉塞され、下方では下シール部材６０により閉塞された閉空間とされる。そして、この閉空間は、ベルトラインモール１６に沿うようにして、収納空間Ｋの側壁部６の前端付近にまで達しており、このような閉空間が主排水路８０とされている。すなわち、上シール部材１５を通過して下方へ侵入した（漏れ出た）水は、主排水路８０に導入されて、この主排水路８０から後述するようにして車外へと排出されることになる。なお、閉空間となる主排水路８０は、車室内とは完全に遮断された状態となっているため、遮音性の点で好ましいものとなる。
【００２４】
一方、レインレール４０は、締結具７０による締結部位よりもさらに下方へ延長されて、その下部には、前方に向けてかつ下に凸となるように湾曲させることにより、樋状の副排水路９０が形成されている。副排水路９０の前端位置は、締結具７０（におけるボルト７１））の前端位置と同じからやや前方に位置するように設定されている。これにより、主排水路８０内の水が下シール部材６０を通して漏れ出ても、漏れ出た水は副排水路９０に受け止められることになる。なお、副排水路９０内の水は、後述するようにして車外へ排出される。
【００２５】
ここで、主排水路８０や副排水路９０を構成する部材、例えば上シール部材１５や、レインレール４０、セットプレート５０、下シール部材６０は、開閉式ルーフ１０の後縁部（に沿うベルトラインモール１６）に沿って長く伸びており、その車幅方向端部終端位置は、車体側部のうち収納空間Ｋの前端付近とされている。
【００２６】
車体側部のうち収納空間Ｋの前端付近には、ドレンボックス１００が配設されている。このドレンボックス１００は、特許文献１に記載のものと同様のものを用いることができるのでその詳細な説明は省略するが、例えば、上方が開口された図面に示される上筒部と、上筒部の下端部から車幅方向内方側に向けて略水平に伸びる横筒部（図示略）とを有している。そして、横筒部の先端部に接続された下方へ伸びるドレンホースが、収納空間Ｋの底壁部４を貫通して、路面に向けて開口されている。なお、ドレンボックス１００は、車体の左右側部にそれぞれ設けられていて、主排水路８０、副排水路９０の水は、左右いずれのドレンボックス１００に対しても連なっている。
【００２７】
主排水路８０、副排水路９０の車幅方向端部終端位置は、それぞれ、上記ドレンボックス１００（における上方開口部位）内またはその直上方に位置するように設定されている。実施形態では、セットプレート５０の車幅方向端部終端位置が、図５に示すように、レインレール４０の車幅方向端部終端位置よりも若干短くされている（ドレンボックス１００から遠い位置で終わっている）。これにより、セットプレート５０を介しての締結具７０による締結力が、ドレンボックス１００付近の開閉式ルーフ１０に対して作用することがなく、この締結力が作用しないことにより、主排水路８０からの水が、実質的にドレンボックス１００の若干手前で副排水路９０へと落下することになる。つまり、主排水路８０内の水は、ドレンボックス１００付近で一旦副排水路９０に落下した後、元々副排水路９０により導かれる水と共にドレンボックス１００へと導入されることになる。
【００２８】
以上実施形態について説明したが、本発明は、実施形態に限定されるものではなく、特許請求の範囲の記載された範囲において適宜の変更が可能である。ドレンボックス１００を左右いずれか一方のみに設けるようにしてもよい（この場合、１つのドレンボックス１００に向けて各排水路８０．９０をわずかに傾斜させる設定としておくのが好ましい）。
【００２９】
セットプレート５０の端部終端位置をドレンボックス１００の位置まで延長して、主排水路８０の水を、副排水路９０を介することなくドレンボックス１００へ導くようにしてもよい。開閉式ルーフ１０は、幌式に限らず、例えば繊維強化プラスチックにより形成されたハードタイプであってもよく、この場合、少なくともバルクヘッド２０やレインレール４０への締結部位についてののみ幌部材で構成する等のこともできる。勿論、本発明の目的は、明記されたものに限らず、実質的に好ましいあるいは利点として表現されたものを提供することをも暗黙的に含むものである。
【産業上の利用可能性】
【００３０】
本発明は、オープンカーのシール構造として好適なものを提供できる。
【符号の説明】
【００３１】
１：フロアパネル
４：底壁部
５：後壁部
６：側壁部
１０：開閉式ルーフ
１５：上シール部材
１６：ベルトラインモール
２０：バルクヘッド
２１：上壁部（パッケージトレイ）
２２：縦壁部
２３：底壁部
３０：トランクルーム
３２：トランクリッド
４０：レインレール
５０：セットプレート
５５：トリム材
７０：締結具
７１：ナット：
７２：ボルト
８０：主排水路
９０：副排水路
１００：ドレンボックス
Ｋ：収納空間
【図１】
2015131623.tif 000003
【図２】
2015131623.tif 000004
【図３】
2015131623.tif 000005
【図４】
2015131623.tif 000006
【図５】
2015131623.tif 000007
【図６】
2015131623.tif 000008